(57)【要約】【課題】ペン支持部が簡単な構成で組立て容易となり、筆記具を簡単に安定的に支持でき、取扱い易く、使い勝手に優れ、ペン支持部や脚部を基板に簡単に形成でき、構成簡素で、コンパクトで、量産し易く、経済的な卓上カレンダー用スタンドを提供する。【解決手段】ホルダー部Ａ１と脚部Ａ２とペン支持部Ａ３とを備え、脚部Ａ２は、右脚片５と左脚片６と係止片７とを折り起して組立てできるよう構成し、ペン支持部Ａ３は、中央片１０と上片１１と下片１２とを折り起して組立てできるよう構成し、中央片１０は、基板１の左右側端縁に近い方の側縁部分に設けた折目線を介して折り起しできるよう形成し、中央片１０の上端縁と下端縁に、折目線を介して連設すると共に略並行となるよう折り起し可能な上片１１と下片１２を連設し、上片１１と下片１２には、ペン２０が挿通可能な透孔１３を穿設して、ペン２０を立設状に支持できるよう構成する。【選択図】図２
0003149150.tif 000002
【実用新案登録請求の範囲】
【請求項１】
適宜カレンダー本体を保持可能なホルダー部と、このホルダー部を卓上に立設状に支持可能な脚部と、ホルダー部の左右の側縁から外方に突出可能となるように形成されるペン支持部とを備え、脚部は、ホルダー部の基板に切込線と折目線とを設けることによって形成される右脚片と左脚片と係止片とからなると共に、これらを折り起して組立てできるよう構成され、ペン支持部は、ホルダー部の基板に切込線と折目線とを設けることによって形成される中央片と上片と下片とからなると共に、これらを折り起して組立てできるよう構成され、中央片は、ホルダー部の基板の左右側端縁に近い方の側縁部分に設けた折目線を介して折り起しできるように形成され、この中央片の上端縁と下端縁には、折目線を介して連設されると共に略並行となるよう折り起し可能な上片と下片を連設し、この上片と下片には、ペンが挿通可能な透孔を穿設して、ペンを立設状に支持できるよう構成したことを特徴とする卓上カレンダー用スタンド。
【請求項２】
ホルダー部の中央上部に吊下げ部を形成し、この吊下げ部は、ホルダー部の基板に切込線と折目線とを設けることによって形成される吊下げ用小片からなり、この吊下げ用小片に穿設した掛止孔を利用してホルダー部を吊下げ可能となるよう構成したことを特徴とする請求項１記載の卓上カレンダー用スタンド。
【考案の詳細な説明】
【技術分野】
【０００１】
本考案は、主に、月毎のカレンダー表示が印刷された一組のカードによって構成されているカレンダー本体を、重ねた状態で保持できるようにした卓上カレンダー用スタンドに係り、特に、ペン等の筆記具を簡単に且つ安定的に支持させることができ、しかも、構成が簡素で、コンパクトで、取扱い易く、使い勝手の優れた卓上カレンダー用スタンドに関するものである。
【背景技術】
【０００２】
従来、この種の卓上カレンダー用スタンドとしては、例えば、特許文献１に示すような卓上カレンダーが開示されており、これは、少なくとも一月の日付及び曜日が記載された複数枚のカレンダー紙と、該カレンダー紙を交換可能に収納する傾斜ホルダーとからなる卓上カレンダーであって、前記傾斜ホルダーは、上部には前記複数枚のカレンダー紙の上縁を掛止する溝状掛止部を、下部には前記複数枚のカレンダー紙の下縁を掛止する溝状折り曲げ部を有して、前記複数枚のカレンダー紙を側方から個々に出し入れ可能な収納部を備えたホルダー本体と、該ホルダー本体の上部に連接され、該ホルダー本体を傾斜状態で支持する支持板とを有するもので、更に、前記ホルダー本体の横幅は、前記カレンダー紙の横幅より大きくなって、該ホルダー本体の片側には筆記具挿通孔を、前記支持板には前記筆記具挿通孔に挿入された筆記具の先端が嵌入する掛止部を夫々備えたものである。
【０００３】
【特許文献１】実用新案登録第３０３０４８９号公報
【考案の開示】
【考案が解決しようとする課題】
【０００４】
ところが、前述の如き卓上カレンダーにあっては、ホルダー本体の横幅をカレンダー紙の横幅より大きくすることにより、筆記具挿通孔を設けるためのスペースを設けているが、そのためにホルダー本体が大きくなり、卓上カレンダー自体をコンパクトに構成することが難しい難点があった。
また、支持板には掛止部を設けて、筆記具挿通孔に挿入された筆記具の先端が嵌入できるように形成してあるが、筆記具の先端を掛止部に嵌入させ難い問題点もあった。
【０００５】
そこで、本考案は、前述の如き難点や問題点等を解消して、ホルダー部が大きくならず、卓上カレンダー用スタンド自体をコンパクトに構成できるようにし、また、ペン等の筆記具等を誰でも簡単に、安定的に支持させることができ、しかも、構成が簡素で、取扱い易く、使い勝手の優れた卓上カレンダー用スタンドを提供できるようにすべく案出されたものである。
【課題を解決するための手段】
【０００６】
しかして、前述の如き課題を達成できるようにすべく、請求項１記載の卓上カレンダー用スタンドにあっては、適宜カレンダー本体Ｂを保持可能なホルダー部Ａ１と、このホルダー部Ａ１を卓上に立設状に支持可能な脚部Ａ２と、ホルダー部Ａ１の左右の側縁から外方に突出可能となるように形成されるペン支持部Ａ３とを備え、脚部Ａ２は、ホルダー部Ａ１の基板１に切込線と折目線とを設けることによって形成される右脚片５と左脚片６と係止片７とからなると共に、これらを折り起して組立てできるよう構成され、ペン支持部Ａ３は、ホルダー部Ａ１の基板１に切込線と折目線とを設けることによって形成される中央片１０と上片１１と下片１２とからなると共に、これらを折り起して組立てできるよう構成され、中央片１０は、ホルダー部Ａ１の基板１の左右側端縁に近い方の側縁部分に設けた折目線を介して折り起しできるように形成され、この中央片１０の上端縁と下端縁には、折目線を介して連設されると共に略並行となるよう折り起し可能な上片１１と下片１２を連設し、この上片１１と下片１２には、ペン２０が挿通可能な透孔１３を穿設して、ペン２０を立設状に支持できるよう構成する手段を採用した。
【０００７】
また、請求項２記載の卓上カレンダー用スタンドにあっては、ホルダー部Ａ１の中央上部に吊下げ部Ａ４を形成し、この吊下げ部Ａ４は、ホルダー部Ａ１の基板１に切込線と折目線とを設けることによって形成される吊下げ用小片１５からなり、この吊下げ用小片１５に穿設した掛止孔１６を利用してホルダー部Ａ１を吊下げ可能となるよう構成する手段を採用した。
【考案の効果】
【０００８】
従って、請求項１記載の卓上カレンダー用スタンドＡによれば、ホルダー部Ａ１が大きくならず、コンパクトに構成できるようになる。しかも、構成が簡素で、量産し易く、経済的な卓上カレンダー用スタンドＡとなる。
【０００９】
特に、ペン支持部Ａ３は、ホルダー部Ａ１の基板１に切込線と折目線とを設けることによって形成される中央片１０と上片１１と下片１２とからなると共に、これらを折り起して組立てできるよう構成され、中央片１０は、ホルダー部Ａ１の基板１の左右側端縁に近い方の側縁部分に設けた折目線を介して折り起しできるように形成され、この中央片１０の上端縁と下端縁には、折目線を介して連設されると共に略並行となるよう折り起し可能な上片１１と下片１２を連設し、この上片１１と下片１２には、ペン２０が挿通可能な透孔１３を穿設して、ペン２０を立設状に支持できるよう構成したので、ペン支持部Ａ３が簡単な構成となり、容易に組み立てできるようになると共に、ペン２０等の筆記具をペン支持部Ａ３に簡単に且つ安定的に支持させることができるようになる。
加えて、ペン支持部Ａ３は、ホルダー部Ａ１の左右の側縁から外方に突出可能となるように形成されるので、ペン２０等の筆記具をペン支持部Ａ３へ支持させたり、ペン支持部Ａ３から取出したりする操作が誰でも簡単に行えるようになり、取扱い易く、使い勝手に優れたものとなる。
【００１０】
更に、脚部Ａ２は、ホルダー部Ａ１の基板１に切込線と折目線とを設けることによって形成される右脚片５と左脚片６と係止片７とからなると共に、これらを折り起して組立てできるよう構成されているので、脚部Ａ２によってホルダー部Ａ１（卓上カレンダー用スタンドＡ）を安定的に支持することができるようになる。しかも、脚部Ａ２自体の構成が簡素となり、ホルダー部Ａ１の基板１に簡単に形成できるようになる。
【００１１】
また、請求項２記載の卓上カレンダー用スタンドＡによれば、吊下げ用小片１５の掛止孔１６を利用してホルダー部Ａ１（卓上カレンダー用スタンドＡ）を吊下げて使用できるようになる。しかも、吊下げ部Ａ４自体の構成が簡素となり、ホルダー部Ａ１の基板１に簡単に形成できるようになる。
【考案を実施するための最良の形態】
【００１２】
以下、本考案を図示例に基づいて説明すると、次の通りである。
本考案は、主に、月毎のカレンダー表示が印刷された一組のカードによって構成されているようなカレンダー本体Ｂを、重ねた状態で保持できるようにした卓上カレンダー用スタンドＡである。
そして、この卓上カレンダー用スタンドＡは、適宜カレンダー本体Ｂを保持可能なホルダー部Ａ１と、このホルダー部Ａ１を卓上に立設状に支持可能な脚部Ａ２と、ホルダー部Ａ１の左右の側縁から外方に突出可能となるように形成されるペン支持部Ａ３とを備えたものである。
また、脚部Ａ２は、ホルダー部Ａ１の基板１に切込線と折目線とを設けることによって形成される右脚片５と左脚片６と係止片７とからなると共に、これらを折り起して組立てできるよう構成されている。
更に、ペン支持部Ａ３は、ホルダー部Ａ１の基板１に切込線と折目線とを設けることによって形成される中央片１０と上片１１と下片１２とからなると共に、これらを折り起して組立てできるよう構成され、中央片１０は、ホルダー部Ａ１の基板１の左右側端縁に近い方の側縁部分に設けた折目線を介して折り起しできるように形成され、この中央片１０の上端縁と下端縁には、折目線を介して連設されると共に略並行となるよう折り起し可能な上片１１と下片１２を連設し、この上片１１と下片１２には、ペン２０が挿通可能な透孔１３を穿設して、ペン２０を立設状に支持できるよう構成されている。
【実施例】
【００１３】
前記卓上カレンダー用スタンドＡは、例えば、透明なシート状の適宜合成樹脂材（或いは、適宜紙材や複合材等でも良い）によって構成されている。
【００１４】
そして、前記ホルダー部Ａ１は、例えば、カレンダー本体Ｂと同一寸法となるような略矩形状の基板１と、この基板１の上端縁に連設される上抱持片２と、基板１の下端縁に連設される下抱持片３とからなり、この上抱持片２と下抱持片３によってカレンダー本体Ｂの上端縁部分と下端縁部分とを裏側から抱持することにより、ホルダー部Ａ１でカレンダー本体Ｂを安定的に保持できるよう構成されている。尚、カレンダー本体Ｂをホルダー部Ａ１に保持させたり、或いは、取出したりする場合は、ホルダー部Ａ１の左右側方からカレンダー本体Ｂを差し込み式にスライドさせることにより行われる。ところで、上抱持片２と下抱持片３は、シート状の合成樹脂材の上下端部部分を側面略Ｌ字状に折曲形成することにより形成されている。
【００１５】
前記脚部Ａ２は、例えば、ホルダー部Ａ１の基板１の中央下部寄りに形成されており、基板１の中央下部寄り左右に配される一対の左右脚片５、６と、この左右脚片５、６の間に配される係止片７とからなり、これら左右脚片５、６と係止片７は、ホルダー部Ａ１の基板１に、適宜切込線と折目線とを設けることにより形成され、切込線と折目線を利用して折り起すと共に、係止片７の係止切欠部を左右脚片５、６の係止切欠部に夫々係止することにより、簡単に組立てられるものである。
尚、左右脚片５、６や係止片７は、ホルダー部Ａ１（卓上カレンダー用スタンドＡ）を斜め後ろに傾斜した状態で安定的に支持できるよう構成されたものであれば良い。
【００１６】
前記ペン支持部Ａ３は、例えば、ホルダー部Ａ１の基板１の右側端近傍上部、或いは、基板１の左側端近傍上部、或いは、基板１の左右側端近傍上部夫々に形成することができ、略矩形状の中央片１０と、この中央片１０の上下端縁に折目線を介して連設される一対の上下片１１、１２とからなり、これら中央片１０と一対の上下片１１、１２は、ホルダー部Ａ１の基板１に、適宜切込線と折目線とを設けることにより形成され、切込線と折目線を利用して折り起すことにより、簡単に組立てられるものである。
【００１７】
前記中央片１０は、例えば、ホルダー部Ａ１の基板１の左右側端縁に近い方の側縁部分に設けた折目線を介して折り起しできるように形成されている。すなわち、ペン支持部Ａ３がホルダー部Ａ１の左右の側縁から外方に突出し易くなるように形成されている。
【００１８】
前記上下片１１、１２は、例えば、中央片１０の上端縁と下端縁に折目線を介して連設されると共に略並行となるよう折り起し可能に形成されている。しかも、上下片１１，１２夫々は、略舌片状を呈しており、その先端寄りに丸い透孔１３が夫々穿設されている。すなわち、上片１１と下片１２夫々に設けた透孔１３を貫通するようにペン２０を上方から挿通させることにより、ペン２０を立設状に支持できるよう構成されている。尚、前記透孔１３は、ホルダー部Ａ１の基板１の左右の側縁から外方に位置するようになり、カレンダー本体Ｂに邪魔されることなく透孔１３を視認でき、誰でも簡単にペン２０を透孔１３に差込めるようになる。
【００１９】
図中Ａ４は、ホルダー部Ａ１の基板１の中央上部に形成される吊下げ部で、この吊下げ部Ａ４は、ホルダー部Ａ１の基板１に切込線と折目線とを設けることによって形成される略矩形状の吊下げ用小片１５からなるものである。しかも、この吊下げ用小片１５の中央には丸形の掛止孔１６が穿設されており、この掛止孔１６を利用してホルダー部Ａ１を吊下げ可能となるように構成されている。すなわち、脚部Ａ２を組立てずに、卓上カレンダー用スタンドＡを吊下げて使用する際に、吊下げ用小片１５の掛止孔１６を利用するようになる。
【００２０】
前記カレンダー本体Ｂは、例えば、基板１と同一寸法の複数の紙製（或いは、合成樹脂材や複合材を利用したものでも良い）のカードを形成し、これらのカードの表面に、月毎のカレンダー表示を印刷することにより形成されたものが利用される。
【００２１】
前記ペン支持部Ａ３で支持されるペン２０は、例えば、鉛筆やボールペンやサインペンやその他の適宜筆記具や、或いは、それ以外の適宜細長い形態を呈するものであっても良い。
【００２２】
ところで、卓上カレンダー用スタンドＡの具体的構成、形状、寸法、材質、ホルダー部Ａ１の具体的構成、形状、寸法、材質、脚部Ａ２の具体的構成、形状、寸法、材質、配設位置、ペン支持部Ａ３の具体的構成、形状、寸法、材質、数、配設位置、吊下げ部Ａ４の具体的構成、形状、寸法、材質、数、配設位置、基板１の具体的構成、形状、寸法、材質、上抱持片２の具体的構成、形状、寸法、材質、下抱持片３の具体的構成、形状、寸法、材質、右脚片５の具体的構成、形状、寸法、材質、配設位置、左脚片６の具体的構成、形状、寸法、材質、配設位置、係止片７の具体的構成、形状、寸法、材質、配設位置、中央片１０の具体的構成、形状、寸法、材質、配設位置、上片１１の具体的構成、形状、寸法、材質、下片１２の具体的構成、形状、寸法、材質、透孔１３の具体的構成、形状、寸法、数、配設位置、吊下げ用小片１５の具体的構成、形状、寸法、材質、配設位置、掛止孔１６の具体的構成、形状、寸法、数、配設位置、カレンダー本体Ｂの具体的構成、形状、寸法、材質、ペン２０の具体的構成、形状、寸法、材質等は、図示例のもの等に限定されることなく、適宜自由に設定、変更できるものである。
【図面の簡単な説明】
【００２３】
【図１】本考案の卓上カレンダー用スタンドを例示する正面図である。
【図２】本考案の卓上カレンダー用スタンドの組立状態を例示する斜視図である。
【図３】本考案の卓上カレンダー用スタンドの使用例を示す側面図である。
【符号の説明】
【００２４】
Ａ    卓上カレンダー用スタンド
Ａ１  ホルダー部
Ａ２  脚部
Ａ３  ペン支持部
Ａ４  吊下げ部
１    基板
２    上抱持片
３    下抱持片
５    右脚片
６    左脚片
７    係止片
１０  中央片
１１  上片
１２  下片
１３  透孔
１５  吊下げ用小片
１６  掛止孔
Ｂ    カレンダー本体
２０  ペン
【図１】
0003149150.tif 000003
【図２】
0003149150.tif 000004
【図３】
0003149150.tif 000005